(57)【特許請求の範囲】
【請求項１】
ＢＳデジタル衛星放送波を受信してＢＳデジタル放送ストリームパケットを作成する第１の受信器と、
ＣＳデジタル衛星放送波を受信してＣＳデジタル衛星放送波において希望の複数チャンネルを受信して各チャンネルについて１つのトランスポートストリーム単位であるＣＳデジタル放送ストリームパケットを作成する第２の受信器と、
ＣＳデジタル衛星放送波において送信元ＣＳデジタル衛星における全チャンネル分の長期イベント情報をまとめて送信している1つのトランスポートストリームを受信してデジタル放送ストリームパケットを作成する第３の受信器と、
後述する第１のネットワーク情報生成器の第１のパケット検出部からのトランスポートストリーム識別番号及びチャンネル番号と後述する第２のネットワーク情報生成器の第２のパケット検出部からのトランスポートストリーム識別番号及びチャンネル番号とに基いてデジタルＣＡＴＶネットワーク用に再構築した全てのトランスポートストリーム識別番号及びこのトランスポート識別番号内のチャンネル番号に置き換えるＣＡＴＶ番組情報設定器と、
前記第１の受信器の出力について変換が必要なトランスポートストリーム識別番号及びチャンネル番号が記載されたパケットを検出する第１のパケット検出部と、前記第１のパケット検出部の出力である検出したパケットを前記ＣＡＴＶ番組情報設定器の出力であるトランスポートストリーム識別番号及びチャンネル番号に基づいて変換した内容に置き換える第１のパケット置換部と、前記第１のパケット置換部の出力であるパケットをＢＳデジタル放送ストリームに多重するパケット送出部とを備える第１のネットワーク情報生成器と、
前記第２の受信器の出力について変換が必要なトランスポートストリーム識別番号及びチャンネル番号が記載されたパケットを検出する第２のパケット検出部と、前記第２のパケット検出部の出力である検出したパケットを前記ＣＡＴＶ番組情報設定器の出力であるトランスポートストリーム識別番号及びチャンネル番号に基づいて変換した内容に置き換える第２のパケット置換部とを備える第２のネットワーク情報生成器と、
前記第２の受信器の出力であるＣＳデジタル放送ストリームパケットと前記ＣＡＴＶ番組情報設定器の出力であるトランスポートストリーム識別番号及びチャンネル番号に基いて自己のトランスポートストリーム識別番号に関係するサービス情報とイベント情報のみを選択するサービス・イベント情報選択部と、
前記サービス・イベント情報選択部の出力である自己のサービス情報内のチャンネル番号に関係する情報要素及び自己のイベント情報の属するチャンネル番号を前記ＣＡＴＶ番組情報設定器の出力であるトランスポートストリーム識別番号及びチャンネル番号に従い変換するサービス・イベント情報構築部と、
前記第３の受信器の出力である送信元における全チャンネルの長期イベント情報のうち
前記ＣＡＴＶ番組情報設定器の出力であるデジタルＣＡＴＶネットワーク内で選択して使用する送信元チャンネル番号と一致した長期イベント情報のみを抽出する番組情報解析部と、
前記番組情報解析部の出力である長期イベント情報内の情報要素をあらかじめ用意した番組情報に基づいて元のＣＳデジタルのテーブル及び記述子で表現される番組要素内容からＢＳデジタルの番組要素内容に変換及び追加し、デジタルＣＡＴＶネットワーク内において設定された全トランスポートストリーム識別番号内の全チャンネル番号に対応した長期イベント情報に変換・蓄積する番組情報構築蓄積部と、
前記番組情報構築蓄積部の出力である長期イベント情報に基いて長期イベント情報内の期間中の全トランスポートストリーム識別番号内の全チャンネル番号についての番組の終了／開始毎に更新される現在放送中の番組および次に開始予定の番組情報が記載された短期イベント情報の番組更新分を作成蓄積する更新用番組情報生成部と、
前記サービス・イベント情報構築部の出力である各チャンネルの変換した自己のサービス情報内のチャンネル番号に関係する情報要素及び自己のイベント情報の属するチャンネル番号及び前記番組情報構築蓄積部の出力であるＢＳデジタルの番組要素内容と長期イベント情報及び前記更新用番組情報生成器の出力である短期イベント情報の番組更新分を出力し、その後デジタルＣＡＴＶネットワーク内の自己以外のサービス情報及び短期イベント情報を構築し出力するサービス・イベント情報再構築部と、
前記サービス・イベント情報再構築部の出力である各番組情報入力と前記ネットワーク情報生成器の出力であるネットワーク情報入力とを前記第２の受信器の出力であるＣＳデジタル放送ストリームに多重し、全てのトランスポートストリーム中にネットワーク情報、サービス情報、短期イベント情報と、長期イベント情報内の基本イベント情報のみを出力し、長期イベント情報内の拡張イベント情報については各トランスポートストリーム毎に含まれるチャネルに相当する部分のみを出力する送信器と、
前記第１のネットワーク情報生成器の出力を変調方式にマッピングしてデジタル変調波にてＣＡＴＶネットワークへ送出する第１のデジタル変調器と、
前記送信器の出力を変調方式にマッピングしてデジタル変調波にてＣＡＴＶネットワークへ送出する第２のデジタル変調器と、
を有するデジタルＣＡＴＶ再送信装置。
【発明の詳細な説明】
【０００１】
【発明の属する技術分野】
本発明はデジタル放送信号を受信し、その後あらたにネットワーク等の媒体にその信号、またはその信号に基づいて加工された信号を出力するディジタル再送信装置に関するものである。
【０００２】
【従来の技術】
衛星デジタル放送においては、トランスポートストリームで多重化されており、データ単位はトランスポートパケットとなり映像・音声・データすべての情報がこのパケットで伝送される。そのトランスポートストリームは、衛星の各トランスポンダに時分割多重され伝送されるため１トランスポンダに数チャンネルの番組が多重化されているため、それらを簡便に選局や番組選択や番組表表示などを実現する目的の情報も時分割多重し放送されていることが一般的になっている。
【０００３】
この番組情報の内容は、たとえばMPEGシステムと呼ばれる国際規格やＤＶＢ規格と呼ばれる民間規格などが存在し、通常その中で規定された範囲内で運用されるものである。これらで規定されている番組情報には大別すると以下のネットワーク情報、サービス情報、イベント情報の３種類が存在する。
【０００４】
ネットワーク情報はネットワークの構成を示すために伝送される情報で、ネットワークを一意に識別するためのネットワーク識別番号、再送信元のネットワークを識別するための再送信元ネットワーク識別番号、そのネットワークにおける多重化の単位となるトランスポートストリームを識別するためのトランスポートストリーム識別番号、各トランスポートストリームを伝送する周波数帯の周波数などを含む伝送情報、各トランスポートストリーム識別番号毎にそれに属するチャンネル番号の一覧などが含まれる。
【０００５】
サービス情報は個々のチャネル毎の情報を示すために伝送され、ネットワーク内でチャネルを一意に識別するためのチャネル番号、チャンネル名などの情報要素が含まれる。
【０００６】
イベント情報は、個々のチャネル毎に放送番組に関する情報を示すために伝送され、番組識別番号、番組名、番組内容、番組開始時間、番組時間長、ジャンル情報などの情報要素が含まれる。このイベント情報は更に、現在放送中の番組および次に開始予定の番組情報のみを記載した短期イベント情報と、一週間など長い期間に含まれる全ての番組情報を記載した長期イベント情報に分別される。
【０００７】
これらの情報は上記MPEGシステム内で規定されるセクション形式に従って符号化されるが、上記番組情報に関してはセクション形式を利用した記述形式も規定されている。
【０００８】
このようにデジタル放送において映像や音声に番組情報を多重して伝送することはごく一般的になってきているが、実際の運用においては個々のネットワークごとに番組情報形式が異なることが多い。これは通常各ネットワークの特性により伝送するチャネル数や確保可能な伝送帯域が異なることに起因するものである。番組情報形式を決定する要素はさまざまであるが一般的に以下のような番組情報符号化方法と番組情報送信方法の事項が挙げられる。
【０００９】
番組情報符号化方法において通常起こり得る形式の違いを説明する。番組情報符号化方法では、前述の通り通常セクション形式と呼ばれるバイナリフォーマットが提供されているが、その中に記述する各情報要素（一般的に記述子と呼ばれる形式で記載される）は必ずしも同一のものが使用されるとは限らない。例えば番組名を記載する記述子がネットワーク毎に異なっていたり、ネットワークに独自な情報要素を記述するための独自な記述子を運用している場合などがある。よってこのような符号化方法で送信された番組情報を受信し処理する受信機は同じ番組名を利用する場合でも、個々のネットワークにおける符号化方法の違いを意識して処理する必要がある。
【００１０】
番組情報送信方法とは、符号化した番組情報をネットワーク内の各伝送帯域内でどのように伝送するかを意味するが、これは符号化方法に比べても更にネットワーク毎に独自運用を行う例が多い。ここでは番組情報送信方法にネットワーク毎の差異が生じることを説明するため、代表的な２例をあげて説明する。
【００１１】
番組情報送信方法の一つの例（送信方法例１）では、全てのトランスポートストリーム中に伝送するのはネットワーク情報とサービス情報と短期イベント情報であり、データ量的に番組情報の大半を占める長期イベント情報はネットワーク内のある一つのトランスポートストリームの中でまとめて伝送する。このような送信方法で送信された番組情報を受信し処理する受信機では、例えば長期イベント情報を元に番組表を作成しようとするならば、長期イベント情報が送出されているトランスポートストリームを選局して受信する必要がある。
【００１２】
番組情報送信方法の別の例（送信方法例２）では、全てのトランスポートストリーム中にネットワーク情報、サービス情報、短期イベント情報と、長期イベント情報の内の番組名など番組を特定する必要最小限の情報（基本イベント情報）のみを送出し、長期イベント情報の残りの情報（拡張イベント情報）は各トランスポートストリーム毎に当該トランスポートストリームに含まれるチャネルに相当する部分のみを伝送する。このような送信方法で送信された番組情報を受信し処理する受信機では、例えば簡単な番組表を作成することはどこのトランスポートストリームを選局していても可能となる。
【００１３】
送信方法例１と送信方法例２を比較すると送信方法例２の方が個々のトランスポートストリームに占める番組情報の割合が高くなる。そのため、送信方法例２における個々の番組情報の伝送速度は送信方法例１の番組情報伝送速度に比べて遅くして運用することが考えられる。以後この通信法例２を共有仕様という。
【００１４】
このように、通常ネットワーク毎に異なる番組情報形式で運用されるため、複数のネットワークを受信可能な受信機を作るためには、受信する全てのネットワークが提供している全ての番組情報形式に対応しなければならず、その開発において非常に負荷の高い状況となっている。
【００１５】
【発明が解決しようとする課題】
ところでデジタルＣＡＴＶに代表されるように、複数のネットワークを受信し必要に応じて取捨選択して再送信を行う場合には、前述した状況がそのまま当てはまる。すなわちデジタルＣＡＴＶの一つのネットワーク内で送信される個々の送信元ネットワーク毎に規定された番組情報形式の違いにより、デジタルＣＡＴＶを受信する受信機は再送信される可能性のある全てのネットワークが提供する番組情報形式に対応していなければならない。
【００１６】
本発明はこのように受信機開発の負担を増加させることなくかつ安価に実現可能な再送信装置および再送信方法を提供することを目的としている。
【００１７】
【課題を解決するための手段】
この課題を解決するために本発明のデジタルＣＡＴＶ再送信装置は、デジタル衛星放送波を受信してデジタル放送ストリームパケットを送出する受信器と変換が必要な番組情報が記載されたパケットを検出し、検出した番組情報をあらかじめ用意した番組情報に基づいて変換した内容に置き換え、番組情報が置き換えられたパケットを元のデジタル放送ストリームに多重するネットワーク情報生成器とあらかじめ用意した番組情報を生成しておくＣＡＴＶ番組情報設定器とデジタル変調器を持つことを特徴とする。
【００１８】
またデジタル衛星放送波を受信してデジタル放送ストリームパケットを送出する受信器と変換が必要な番組情報が記載されたパケットを検出し、検出した番組情報をあらかじめ用意した番組情報に基づいて変換した内容に置き換え、番組情報が置き換えられたパケットを元のデジタル放送ストリームに多重するネットワーク情報生成器とあらかじめ用意した番組情報を生成しておくＣＡＴＶ番組情報設定器及び番組情報がまとまって送信されているトランスポンダのデジタル衛星放送波を受信してデジタル放送ストリームパケットを送出する受信器と変換が必要な番組情報が記載されたパケットを検出し、検出した番組情報をあらかじめ規定した番組情報要素に分解する番組情報解析部と、前記番組情報解析部において生成した番組情報を蓄積し、自己の規定した番組情報記述形式に従いパケット化する番組情報蓄積構築部と現番組と次番組情報の更新用番組情報を生成蓄積する更新用番組情報生成部により構成されるサービス・イベント情報変換器とこれらの変換したパケットとネットワーク情報生成器からのパケットを元のデジタル放送ストリームに多重する送信器とデジタル変調器を持つことを特徴とする。
【００１９】
【発明の実施の形態】
以下本発明のデジタルＣＡＴＶ再送信装置の実施例について、図を用いて詳細に説明する。
【００２０】
（実施の形態１）
図１は本発明の第１の実施例でデジタルＣＡＴＶネットワークにＢＳデジタル放送のような番組情報形式の共用仕様に従った放送とＣＳデジタル放送のような個々の放送事業者により番組情報形式の共用仕様と異なる放送を再送信する場合を示す。
【００２１】
まずＢＳデジタル放送のような番組情報形式の共用仕様に従った放送の場合のネットワーク情報について図４、６に示すようにＣＡＴＶネットワークにおけるネットワーク情報内のネットワークを一意に識別するためのネットワーク識別番号はＣＡＴＶ放送事業者毎に割り振られるＣＡＴＶデジタルネットワーク識別番号となる、送信元ネットワーク識別番号はＢＳデジタルネットワーク識別番号をそのまま使用し、またそのネットワークにおける多重化の単位となるトランスポートストリームを識別するためのトランスポートストリーム識別番号及び各トランスポートストリーム識別番号に属するチャンネル番号は送信元と同じチャンネル番号を使用する。
【００２２】
ＣＳデジタル放送のような番組情報形式の共用仕様と異なった放送の場合のネットワーク情報についても図4、６に示すようにＣＡＴＶネットワークにおけるネットワーク情報内のネットワークを一意に識別するためのネットワーク識別番号はＣＡＴＶ放送事業者毎に割り振られるＣＡＴＶデジタルネットワーク識別番号となる、送信元ネットワーク識別番号は１つの６４QAM変調器で送信する１つのトランスポートストリーム単位において１つのＣＳ放送事業者の任意のチャンネルしか送出しない場合はＣＳデジタルネットワーク識別番号をそのまま使用し、もし送信元ネットワーク識別番号は1つの６４QAM変調器で送信する１つのトランスポートストリーム単位において多数のＣＳ放送事業者における任意のチャンネルを送出する場合や自主放送を送出する場合はＣＡＴＶデジタルネットワーク識別番号を使用する。またそのネットワークにおける多重化の単位となるトランスポートストリームを識別するためのトランスポートストリーム識別番号及び各トランスポートストリーム識別番号に属するチャンネル番号はＣＡＴＶネットワーク内において設定されたチャンネル番号を使用する。このチャンネル番号はＢＳデジタル放送のチャンネル番号とは重複しないようにＣＡＴＶネットワーク内で一意に設定される。
【００２３】
図５に示すように各デジタル衛星放送のトランスポンダ周波数もＣＡＴＶネットワークの６４QAM変調周波数に置き換わる。
【００２４】
図1において、ＢＳデジタル放送側の構成について説明する。１は受信器、２はネットワーク情報生成器、３は変調器である。CSデジタル放送側の構成は、４受信器、５は受信器、６はネットワーク情報生成器、７はサービス・イベント情報変換器、８は送信器、９は変調器、１０はCATV番組情報設定器、以上のように構成したデジタル放送再送信装置について、以下その作用について説明する。
【００２５】
まず、ＢＳデジタル衛星放送波を受信してデジタル放送ストリームパケットを送出する受信器１と変換が必要な番組情報が記載されたパケットを検出し、検出した番組情報をあらかじめ用意した番組情報に基づいて変換した内容に置き換え、番組情報が置き換えられたパケットを元のデジタル放送ストリームに多重するネットワーク情報生成器２とあらかじめ用意した番組情報を生成しておくＣＡＴＶ番組情報設定器１０と番組情報が置き換えられたパケットが多重されたデジタル放送ストリームを変調方式にマッピングしてデジタル変調波にてＣＡＴＶネットワークへ送出するデジタル変調器で構成される。
【００２６】
一方、ＣＳデジタル放送波の方は、ＣＳデジタル衛星放送波において希望の複数チャンネルを受信してそのそれぞれをＣＡＴＶの1つの６４ＱＡＭ変調器で送信する１つのトランスポートストリーム単位であるデジタル放送ストリームパケットにして送出する受信器４と変換が必要な番組情報が記載されたパケットを検出し、検出した番組情報をあらかじめ用意した番組情報に基づいて変換した内容に置き換え、番組情報が置き換えられたパケットを元のデジタル放送ストリームに多重するネットワーク情報生成器６とあらかじめ用意した番組情報を生成しておくＣＡＴＶ番組情報設定器１０で構成されるブロックとＣＳデジタル衛星放送波において番組情報の大半を占める長期イベント情報をまとめて送信しているある1つのトランスポートストリームを受信してデジタル放送ストリームパケットを送出する受信器５と変換が必要な番組情報が記載されたパケットを検出し、検出した番組情報をあらかじめ規定した番組情報要素に分解する番組情報解析部と、前記番組情報解析部において生成した番組情報を蓄積し、自己の規定したＢＳデジタル放送の番組情報記述形式に従いパケット化する番組情報蓄積構築部と現番組と次番組情報の更新用番組情報を生成蓄積する更新用番組情報生成部により構成されるサービス・イベント情報変換器７とこれらの変換したパケットとネットワーク情報生成器６からのパケットを元のデジタル放送ストリームに多重するとともに番組情報送信方法をＢＳデジタル放送と同様にする送信器８とこの番組情報が置き換えられたパケットが多重されたデジタル放送ストリームを変調方式にマッピングしてデジタル変調波にてCATVネットワークへ送出するデジタル変調器９で構成される。
【００２７】
次に、図２を用いて本発明のネットワーク情報生成器について詳細を説明する。
【００２８】
まず、ＢＳ側の、パケット検出部１１、パケット置換部１２、パケット送出部１３で構成されたネットワーク情報生成器について、以下その作用について説明する。まず、ＢＳデジタル衛星放送波を受信した受信部１よりＢＳデジタル放送ストリームパケットがパケット検出部１１とパケット送出部１３へ送出される。このＢＳデジタル放送ストリームパケットから変換が必要な番組情報が記載されたパケットをパケット検出部１１が検出し、その検出したパケットをＣＡＴＶ番組情報設定器１０とパケット置換部１２へ送出する。ＣＡＴＶ番組情報設定部１０ではこのパケット内の番組情報をＢＳ側のパケット検出部１１からの番組情報とＣＳ側のパケット検出部１４からの番組情報の両方からの情報よりデジタルＣＡＴＶネットワーク用に再構築した番組情報に置き換える、一つはネットワークを一意に識別するためのネットワーク識別番号はＣＡＴＶ放送事業者毎に割り振られるＣＡＴＶデジタルネットワーク識別番号とし、送信元ネットワーク識別番号はＢＳデジタルネットワーク識別番号をそのまま使用する、もう一つは伝送情報内の衛星放送での各トランスポンダ周波数をデジタルＣＡＴＶネットワーク内での６４ＱＡＭ変調周波数に変換するまたその他の伝送情報も衛星用からＣＡＴＶ用へ変換する。
【００２９】
更にＢＳデジタル放送のトランスポートストリーム識別番号及びチャンネル番号にＣＡＴＶネットワーク内においてＣＳデジタル放送側でＢＳデジタル放送のトランスポートストリーム識別番号及びチャンネル番号とは重複しないように変換設定したトランスポートストリーム識別番号及びチャンネル番号を追加した新しい番組情報をパケット置換部１２へ送出する。パケット置換部１２では、その新しい番組情報のパケットを元の番組情報パケットと置き換えパケット送出部１３へ送出する。パケット送出部１３ではその置き換えられた新しい番組情報パケットをBSデジタル放送ストリームに多重しBS側からのデジタルCATV放送ストリームとなる。これがBＳ側のネットワーク情報生成器２である。
【００３０】
一方、CS側も同様にパケット検出部１４、パケット置換部１５で構成されたネットワーク情報生成器６について、以下その作用について説明する。まず、受信器４はCSデジタル衛星放送波からCATV局が選択した再送信すべき複数チャンネルを受信してそのそれぞれを1つの６４QAM変調器で送信する１つのトランスポートストリーム単位に多重したCSデジタル放送ストリームパケットをネットワーク情報生成器６内のパケット検出部１４とサービス・イベント情報変換器７と送出器８へ送出される。このCSデジタル放送ストリームパケットから変換が必要な番組情報が記載されたパケットをパケット検出部１４が検出し、その検出したパケットをCATV番組情報設定器１０とパケット置換部１５へ送出する。
【００３１】
CATV番組情報設定部１０ではこのパケット内の番組情報をBS側のパケット検出部11からの番組情報とCS側のパケット検出部１４からの番組情報の両方からの情報よりデジタルCATVネットワーク用に再構築した番組情報に置き換える、一つはネットワークを一意に識別するためのネットワーク識別番号をCATV放送事業者毎に割り振られるCATVデジタルネットワーク識別番号とする、また送信元ネットワーク識別番号は1つの６４QAM変調器で送信する１つのトランスポートストリーム単位において１つのCS放送事業者の複数チャンネルしか送出しない場合はCSデジタルネットワーク識別番号をそのまま使用し、もし1つの64QAM変調器で送信する１つのトランスポートストリーム単位において多数のCS放送事業者からの複数チャンネルを送出する場合は送信元ネットワーク識別番号はCATVデジタルネットワーク識別番号を使用する。
【００３２】
もう一つは伝送情報内の衛星放送での各トランスポンダ周波数をデジタルCATVネットワーク内での64QAM変調周波数に変換するまたその他の伝送情報も衛星放送のものからデジタルCATV用へ変換する。更にデジタルCATVネットワーク内においてBSデジタル放送側ではBSデジタル放送のトランスポートストリーム識別番号及びチャンネル番号をそのまま使用するためCSデジタル放送側のトランスポートストリーム識別番号及びチャンネル番号はBSと重複しないようにCATV番組情報設定器１０のデジタルCATVネットワーク用に再構築した番組情報から変換設定したトランスポートストリーム識別番号及びチャンネル番号とする。そしてこれらのBS側とCS側両方のトランスポートストリーム識別番号及びチャンネル番号で構成された新しい番組情報をパケット置換部１５へ送出する。パケット置換部１５では、その新しい番組情報のパケットを元の番組情報パケットと置き換え、送信器８へ送出する。これがCS側のネットワーク情報生成器６である。
【００３３】
次に図３を用いて本発明のサービス・イベント情報変換器７について詳細を説明する。サービス・イベント情報選択部１６、サービス・イベント情報構築部１７、番組情報解析部１８、番組情報構築・蓄積部１９、更新用番組情報生成部２０、サービス・イベント情報再構築部２１で構成されたサービス・イベント情報変換器７について、以下その作用を説明する。
【００３４】
サービス・イベント情報選択部１６には、受信部４からのCSデジタル衛星放送波からCATV局が選択した再送信すべき複数チャンネルを受信してそのそれぞれを1つの６４QAM変調器で送信する１つのトランスポートストリーム単位に多重したCSデジタル放送ストリームパケットとCATV番組情報設定器１０からのCATV局においてデジタルCATVネットワーク用に再構築した番組情報としてトランスポートストリーム識別番号及びチャンネル番号が入力される。この実施例では受信部４は、一つしか記述していないが、デジタルCATVネットワーク内には、６４QAM変調器の数量分存在する。そして自分自身の６４QAM変調器つまりトランスポートストリーム識別番号内に関する番組情報と他の６４QAM変調器つまりトランスポートストリーム識別番号内に関する番組情報とは、それぞれが自分自身と他との関係を保つ。通常は。自分自身をアクチャル、他をアザーと呼ぶ。
【００３５】
サービス・イベント情報選択部１６は、自トランスポートストリーム識別番号に関係するつまりアクチャルのサービス情報とイベント情報だけを選択しサービス・イベント情報構築部１７へ出力する。
【００３６】
サービス・イベント情報構築部１７では、まずアクチャルのサービス情報内のチャンネル番号に関係する情報要素をすべてCATV番組情報設定器１０からのCATV局においてデジタルCATVネットワーク用に再構築した番組情報に従い変換する。またアクチャルのイベント情報もそれが属するチャンネル番号をすべて変換する。このように各６４QAMそれぞれにとって自分自身となるアクチャルのサービス情報及び番組情報のみを変換した番組情報がサービス・イベント情報再構築部へ出力される。
【００３７】
一方、受信器５は、CSデジタル衛星放送波において番組情報の大半を占める長期イベント情報をそのCSデジタル衛星の全トランスポンダ分をまとめて送信しているある1つのトランスポートストリーム、（通称EPGトランスポンダと呼ばれている）を受信してそのトランスポンダのデジタル放送ストリームパケットを番組情報解析部１８に送出する。番組情報解析部１８には、CATV番組情報設定器１０より、デジタルCATVネットワーク内のすべての６４QAM変調器ここでは送信元のトランスポートストリーム識別番号とそのトランスポート識別番号内のチャンネル番号が入力される。また受信器５よりその送信元CSデジタル衛星内の全トランスポンダ分の全チャンネルの長期イベント情報がまとめて入力される。
【００３８】
番組情報解析部１８は、受信器５からの送信元における全チャンネルの長期イベント情報のうちCATV番組情報設定器１０からこのデジタルCATVネットワーク内で選択して使用する送信元チャンネル番号と一致した長期イベント情報だけを番組情報構築・蓄積部１９へ出力する。
【００３９】
番組情報構築・蓄積部１９は、番組情報解析部１８からの長期番組情報内の情報要素をあらかじめ用意した番組情報に基づいて元のCSデジタルの番組要素内容からBSデジタルの番組要素内容に変換及び追加する。そして送信元ではなくデジタルCATVネットワーク内において設定された全トランスポートストリーム識別番号内の全チャンネル番号に対応した長期イベント情報に変換・蓄積される。ここでの番組要素というのは、テーブル及び記述子と表現される。この変換された長期イベント情報は、更新用番組情報生成器２０とサービス・イベント情報再構築部２１へ出力される。
【００４０】
更新用番組情報生成器２０は、番組情報構築・蓄積部１９からの長期イベント情報から番組の終了／開始毎に更新される現在放送中の番組および次に開始予定の番組情報が記載された短期イベント情報を全トランスポートストリーム識別番号内の全チャンネル番号について長期イベント情報内の期間中の番組更新分を作成蓄積しサービス・イベント情報再構築部２１へ出力する。
【００４１】
サービス・イベント情報再構築部２１には、サービス・イベント情報構築部１７から各６４QAMそれぞれにとって自分自身となるアクチャルのサービス情報及びイベント情報だけを変換した番組情報が入力される。また番組情報構築・蓄積部１９からは長期番組情報内の情報要素をあらかじめ用意した番組情報に基づいて元のCSデジタルの番組要素内容からBSデジタルの番組要素内容に変換し送信元ではなくデジタルCATVネットワーク内において設定された全トランスポートストリーム識別番号内の全チャンネル番号に対応した長期イベント情報が入力される。また更新用番組情報生成器２０からは全トランスポートストリーム識別番号内の全チャンネル番号に対応した番組の終了／開始毎に更新される短期イベント情報が入力される。
【００４２】
サービス・イベント情報再構築部２１では、まずサービス・イベント情報構築部１７からの各６４QAMそれぞれにとって自分自身となるアクチャルのサービス情報とイベント情報だけを変換した番組情報を先に送出器８へ出力する。これにより番組情報の再構築による遅れを各６４QAMそれぞれにとって自分自身となるアクチャルに対して低減させる。次に番組情報構築・蓄積部１９からの元のCSデジタルにおける番組要素内容からBSデジタルの番組要素内容に変換されデジタルCATVネットワーク内において設定された全トランスポートストリーム識別番号内の全チャンネル番号に対応した長期イベント情報を送出器８へ出力する。更に更新用番組情報生成器２０からの短期イベント情報のうち各６４QAMそれぞれにとって自分自身となるアクチャルのトランスポートストリーム識別番号内のチャンネル番号に一致した短期イベント情報を先に送出器８へ出力する。以上の処理後CATVネットワーク内の自分自身であるアクチャル以外のアザーのサービス情報や短期イベント情報を構築し送出器８へ出力する。以上が図３におけるサービスイベント情報変換器７である。
【００４３】
送出器８は、サービス・イベント情報再構築部２１からの各番組情報入力とネットワーク情報生成器６からのネットワーク情報入力とを受信器４からCSデジタル放送ストリームに多重し、番組情報送信方法を全てのトランスポートストリーム中にネットワーク情報、サービス情報、短期イベント情報と、長期イベント情報の内の番組名など番組を特定する必要最小限の情報（基本イベント情報）のみを送出し、長期イベント情報の残りの情報（拡張イベント情報）は各トランスポートストリーム毎に当該トランスポートストリームに含まれるチャネルに相当する部分のみを伝送するBSデジタル方式にしてデジタルCATV放送ストリームとしてデジタル変調器９へ出力する。
【００４４】
デジタル変調器９は、デジタル放送ストリームを変調方式にマッピングしてデジタル変調波にてCATVネットワークへ送出する。
【００４５】
（実施の形態２）
図７は本発明の（実施の形態１）において記載した構成に１１０度ＣＳデジタル放送を追加した場合とＣＳデジタル放送についても一つの放送ではなく複数衛星の放送やＣＡＴＶ局の自主放送を追加した場合を示した。
【００４６】
（実施の形態３）
図８は本発明の（実施の形態1）と同様のデジタルCATVネットワークにBSデジタル放送や１１０度ＣＳデジタル放送のような番組情報形式の共用仕様に従った放送とCSデジタル放送のような個々の放送事業者により番組情報形式の共用仕様と異なる放送を再送信する場合を示す。ここでは、BSデジタル放送のような番組情報形式の共用仕様に従った放送もネットワーク情報だけによるトランスポート識別番号単位での再送信ではなく、チャンネル情報や番組情報を再構築するチャンネル単位での再送信例として示した。図９，図１０では、BSデジタル放送とCSデジタル放送の場合を例に説明した。
【００４７】
まずＢＳデジタル放送のような番組情報形式の共用仕様に従った放送の場合のネットワーク情報についてＣＡＴＶネットワークにおけるネットワーク情報内のネットワークを一意に識別するためのネットワーク識別番号はＣＡＴＶ放送事業者毎に割り振られるＣＡＴＶデジタルネットワーク識別番号となる、送信元ネットワーク識別番号は１１０度ＣＳデジタル放送を考慮してＣＡＴＶデジタルネットワーク識別番号を使用、またそのネットワークにおける多重化の単位となるトランスポートストリームを識別するためのトランスポートストリーム識別番号及び各トランスポートストリーム識別番号に属するチャンネル番号はＣＡＴＶ放送事業者で再構築した１００度ＣＳデジタル放送やＣＳデジタル放送のチャンネル番号とは重複しないチャンネル番号を使用する。
【００４８】
ＣＳデジタル放送のような番組情報形式の共用仕様と異なった放送の場合のネットワーク情報についてもＣＡＴＶネットワークにおけるネットワーク情報内のネットワークを一意に識別するためのネットワーク識別番号はＣＡＴＶ放送事業者毎に割り振られるＣＡＴＶデジタルネットワーク識別番号となる、送信元ネットワーク識別番号は１つの６４QAM変調器で送信する１つのトランスポートストリーム単位において１つのＣＳ放送事業者の任意のチャンネルしか送出しない場合はＣＳデジタルネットワーク識別番号をそのまま使用し、もし送信元ネットワーク識別番号は1つの６４QAM変調器で送信する１つのトランスポートストリーム単位において多数のＣＳ放送事業者における任意のチャンネルを送出する場合や自主放送を送出する場合はＣＡＴＶデジタルネットワーク識別番号を使用する。
【００４９】
またそのネットワークにおける多重化の単位となるトランスポートストリームを識別するためのトランスポートストリーム識別番号及び各トランスポートストリーム識別番号に属するチャンネル番号はＣＡＴＶネットワーク内において設定されたチャンネル番号を使用する。このチャンネル番号はＢＳデジタル放送や１００度ＣＳ放送のチャンネル番号とは重複しないようにＣＡＴＶネットワーク内で一意に設定される。また各デジタル衛星放送のトランスポンダ周波数もＣＡＴＶネットワーク内の６４QAM変調周波数に置き換わる。
【００５０】
図８において、ＢＳデジタル放送及び１１０度ＣＳデジタル放送側の構成について説明する。１は受信器、２はネットワーク情報生成器、２２は受信器、２３はネットワーク情報生成器、２６は送出器、３は変調器である。CSデジタル放送側の構成は、４受信器、５は受信器、６はネットワーク情報生成器、７はサービス・イベント情報変換器、８は送信器、９は変調器、１０はCATV番組情報設定器、以上のように構成したデジタル放送再送信装置について、以下その作用について説明する。
【００５１】
まずＢＳデジタル放送及び１１０度ＣＳデジタル放送の方は、ＢＳデジタル放送において希望のチャンネルと１１０度ＣＳデジタル放送において希望のチャンネルとを受信してそのそれぞれをＣＡＴＶの1つの６４ＱＡＭ変調器で送信する１つのトランスポートストリーム単位であるデジタル放送ストリームパケットにして送出する受信器１，２２と変換が必要な番組情報が記載されたパケットを検出し、検出した番組情報をあらかじめ用意した番組情報に基づいて変換した内容に置き換え、番組情報が置き換えられたパケットを元のデジタル放送ストリームに多重するネットワーク情報生成器２、２３とあらかじめＣＡＴＶ局において番組情報再構築のために用意した番組情報を生成しておくＣＡＴＶ番組情報設定器１０で構成されるブロックとＢＳデジタル放送及び１１０度ＣＳデジタル放送においておのおの放送において全トランスポートストリーム情報をまとめて送信している全局番組情報を受信器１、２２からの出力を受信して変換が必要な番組情報が記載されたパケットを検出し、検出した番組情報をあらかじめ規定した番組情報要素に分解する番組情報解析部と、前記番組情報解析部において生成した番組情報を蓄積し、自己の規定したＢＳデジタル放送又は１１０度ＣＳデジタル放送の両方の番組情報記述形式に従った全トランスポートストリーム情報をまとめた全局番組情報にパケット化する番組情報蓄積構築部により構成されるサービス・イベント情報変換器７とこれらの変換したパケットとネットワーク情報生成器２、２３からのパケット及びを元のデジタル放送ストリーム、この元のデジタル放送ストリームには各トランスポートストリーム毎独自の情報を載せた各局番組情報がある、この元のデジタル放送ストリームに多重するとともに番組情報送信方法をＢＳデジタル放送及び１１０度ＣＳデジタル放送と同様にする送信器２６とこの番組情報が置き換えられたパケットが多重されたデジタル放送ストリームを変調方式にマッピングしてデジタル変調波にてCATVネットワークへ送出するデジタル変調器３で構成される。
【００５２】
一方、ＣＳデジタル放送波の方は、ＣＳデジタル衛星放送波において希望の複数チャンネルを受信してそのそれぞれをＣＡＴＶの1つの６４ＱＡＭ変調器で送信する１つのトランスポートストリーム単位であるデジタル放送ストリームパケットにして送出する受信器４と変換が必要な番組情報が記載されたパケットを検出し、検出した番組情報をあらかじめ用意した番組情報に基づいて変換した内容に置き換え、番組情報が置き換えられたパケットを元のデジタル放送ストリームに多重するネットワーク情報生成器６とあらかじめ用意した番組情報を生成しておくＣＡＴＶ番組情報設定器１０で構成されるブロックとＣＳデジタル衛星放送波において番組情報の大半を占める長期イベント情報をまとめて送信しているある1つのトランスポートストリームを受信してデジタル放送ストリームパケットを送出する受信器５と変換が必要な番組情報が記載されたパケットを検出し、検出した番組情報をあらかじめ規定した番組情報要素に分解する番組情報解析部と、前記番組情報解析部において生成した番組情報を蓄積し、自己の規定したＢＳデジタル放送の番組情報記述形式に従いパケット化する番組情報蓄積構築部と現番組と次番組情報の更新用番組情報を生成蓄積する更新用番組情報生成部により構成されるサービス・イベント情報変換器７とこれらの変換したパケットとネットワーク情報生成器６からのパケットを元のデジタル放送ストリームに多重するとともに番組情報送信方法をＢＳデジタル放送と同様にする送信器８とこの番組情報が置き換えられたパケットが多重されたデジタル放送ストリームを変調方式にマッピングしてデジタル変調波にてCATVネットワークへ送出するデジタル変調器９で構成される。
【００５３】
次に図９を用いて本発明のネットワーク情報生成器について詳細を説明する。
【００５４】
まずＢＳ側と１１０度ＣＳ側の、パケット検出部１１、パケット置換部１２で構成されたネットワーク情報生成器について以下その作用について説明する。
【００５５】
まず、受信器１はＢSデジタル衛星放送波及び１１０度CSデジタル衛星放送波からCATV局が選択した再送信すべきチャンネルを受信してそのそれぞれを1つの６４QAM変調器で送信する１つのトランスポートストリーム単位に多重したデジタル放送ストリームパケットをネットワーク情報生成器２内のパケット検出部１１と送出器２６へ送出される。このデジタル放送ストリームパケットから変換が必要な番組情報が記載されたパケットをパケット検出部１１が検出し、その検出したパケットをCATV番組情報設定器１０とパケット置換部１２へ送出する。CATV番組情報設定部１０ではこのパケット内の番組情報をBS側のパケット検出部１１からの番組情報とCS側のパケット検出部１４からの番組情報の両方からの情報よりデジタルCATVネットワーク用に再構築した番組情報に置き換える、一つはネットワークを一意に識別するためのネットワーク識別番号をCATV放送事業者毎に割り振られるCATVデジタルネットワーク識別番号とする、また送信元ネットワーク識別番号は1つの64QAM変調器で送信する１つのトランスポートストリーム単位において多数の放送事業者からの複数チャンネルを送出する場合は送信元ネットワーク識別番号はCATVデジタルネットワーク識別番号を使用する。
【００５６】
もう一つは伝送情報内の衛星放送での各トランスポンダ周波数をデジタルCATVネットワーク内での64QAM変調周波数に変換するまたその他の伝送情報も衛星放送のものからデジタルCATV用へ変換する。更にデジタルCATVネットワーク内において各送信元同士で重複しないようにCATV番組情報設定器１０のデジタルCATVネットワーク用に再構築した番組情報から変換設定したトランスポートストリーム識別番号及びチャンネル番号とする。そしてこれらのBS及び１１０度ＣＳ側とCS側両方のトランスポートストリーム識別番号及びチャンネル番号で構成された新しい番組情報をパケット置換部１２へ送出する。パケット置換部１２では、その新しい番組情報のパケットを元の番組情報パケットと置き換え、送信器２６へ送出する。これがＢＳ及び１１０度ＣＳ側のネットワーク情報生成器２である。
【００５７】
一方、CS側も同様にパケット検出部１４、パケット置換部１５で構成されたネットワーク情報生成器６について、以下その作用について説明する。まず、受信器４はCSデジタル衛星放送波からCATV局が選択した再送信すべき複数チャンネルを受信してそのそれぞれを1つの６４QAM変調器で送信する１つのトランスポートストリーム単位に多重したCSデジタル放送ストリームパケットをネットワーク情報生成器６内のパケット検出部１４とサービス・イベント情報変換器７と送出器８へ送出される。このCSデジタル放送ストリームパケットから変換が必要な番組情報が記載されたパケットをパケット検出部１４が検出し、その検出したパケットをCATV番組情報設定器１０とパケット置換部１５へ送出する。
【００５８】
CATV番組情報設定部１０ではこのパケット内の番組情報をBS及び１１０度CS側のパケット検出部11からの番組情報とCS側のパケット検出部１４からの番組情報の両方からの情報よりデジタルCATVネットワーク用に再構築した番組情報に置き換える、一つはネットワークを一意に識別するためのネットワーク識別番号をCATV放送事業者毎に割り振られるCATVデジタルネットワーク識別番号とする、また送信元ネットワーク識別番号は1つの６４QAM変調器で送信する１つのトランスポートストリーム単位において１つのCS放送事業者の複数チャンネルしか送出しない場合はCSデジタルネットワーク識別番号をそのまま使用し、もし1つの64QAM変調器で送信する１つのトランスポートストリーム単位において多数のCS放送事業者からの複数チャンネルを送出する場合は送信元ネットワーク識別番号はCATVデジタルネットワーク識別番号を使用する。
【００５９】
もう一つは伝送情報内の衛星放送での各トランスポンダ周波数をデジタルCATVネットワーク内での64QAM変調周波数に変換する、またその他の伝送情報も衛星放送のものからデジタルCATV用へ変換する。更にデジタルCATVネットワーク内においてCSデジタル放送側のトランスポートストリーム識別番号及びチャンネル番号はBS及び１１０度ＣＳと重複しないようにCATV番組情報設定器１０のデジタルCATVネットワーク用に再構築した番組情報から変換設定したトランスポートストリーム識別番号及びチャンネル番号とする。そしてこれらのBS及び１１０度ＣＳ側とCS側両方のトランスポートストリーム識別番号及びチャンネル番号で構成された新しい番組情報をパケット置換部１５へ送出する。パケット置換部１５では、その新しい番組情報のパケットを元の番組情報パケットと置き換え、送信器８へ送出する。これがCS側のネットワーク情報生成器６である。
【００６０】
次に図１０を用いて本発明のサービス・イベント情報変換器７について詳細を説明する。サービス・イベント情報選択部１６、サービス・イベント情報構築部１７、番組情報解析部１８、番組情報構築・蓄積部１９、更新用番組情報生成部２０、サービス・イベント情報再構築部２１で構成されたサービス・イベント情報変換器７について、以下その作用を説明する。
【００６１】
サービス・イベント情報選択部１６には、受信部１からのＢＳ及び１１０度ＣＳデジタル衛星放送波からCATV局が選択した再送信すべき複数チャンネルを受信してそのそれぞれを1つの６４QAM変調器で送信する１つのトランスポートストリーム単位に多重したデジタル放送ストリームパケット、受信部４からのCSデジタル衛星放送波からCATV局が選択した再送信すべき複数チャンネルを受信してそのそれぞれを1つの６４QAM変調器で送信する１つのトランスポートストリーム単位に多重したCSデジタル放送ストリームパケットとCATV番組情報設定器１０からのCATV局においてデジタルCATVネットワーク用に再構築した番組情報としてトランスポートストリーム識別番号及びチャンネル番号が入力される。この実施の形態例では受信部１及び受信部４は、一つしか記述していないが、デジタルCATVネットワーク内には、６４QAM変調器の数量分存在する。そしてBS及び１１０度ＣＳ受信側は、自分自身の６４QAM変調器つまりトランスポートストリーム識別番号内に関する番組情報と他の全ての６４QAM変調器のトランスポートストリーム識別番号内に関する番組情報とを持つ。通常は、自分自身を各局番組情報、全トラポンの方を全局番組情報と呼ぶ。またＣＳ受信側では自分自身の６４QAM変調器つまりトランスポートストリーム識別番号内に関する番組情報と他の６４QAM変調器のトランスポートストリーム識別番号内に関する番組情報との関係を保つ。通常は自分自身をアクチャル、他はアザーと呼ばれている。
【００６２】
サービス・イベント情報選択部１６は、BS及び１１０度ＣＳ受信側では自トランスポートストリーム識別番号に関係するつまり各局のサービス情報とイベント情報だけを選択しサービス・イベント情報構築部１７へ出力する。CS受信側では自トランスポートストリーム識別番号に関係するつまりアクチャルのサービス情報とイベント情報だけを選択しサービス・イベント情報構築部１７へ出力する。
【００６３】
サービス・イベント情報構築部１７では、ＢＳ及び１１０度ＣＳ受信側ではまず各局のサービス情報内のチャンネル番号に関係する情報要素をすべてCATV番組情報設定器１０からのCATV局においてデジタルCATVネットワーク用に再構築した番組情報に従い変換する。また各局のイベント情報もそれが属するチャンネル番号をすべて変換する。このように各６４QAMそれぞれにとって自分自身となるアクチャルのサービス情報及び番組情報のみを変換した番組情報がサービス・イベント情報再構築部へ出力される。CS受信側ではまずアクチャルのサービス情報内のチャンネル番号に関係する情報要素をすべてCATV番組情報設定器１０からのCATV局においてデジタルCATVネットワーク用に再構築した番組情報に従い変換する。またアクチャルのイベント情報もそれが属するチャンネル番号をすべて変換する。このように各６４QAMそれぞれにとって自分自身となるアクチャルのサービス情報及び番組情報のみを変換した番組情報がサービス・イベント情報再構築部へ出力される。
【００６４】
一方、受信器２７は、ＢＳ及び１１０度CSデジタル衛星放送波において各トランスポンダを受信し実施には受信器２７は受信するトランスポンダ分存在する。各トランスポンダには全トランスポンダ分をまとめて送信している全局番組情報のデジタル放送ストリームパケットを番組情報解析部１８に送出する。番組情報解析部１８には、CATV番組情報設定器１０より、デジタルCATVネットワーク内のすべての６４QAM変調器ここでは送信元のトランスポートストリーム識別番号とそのトランスポート識別番号内のチャンネル番号が入力される。また受信器２７よりその送信元ＢＳ及び１１０度CSデジタル衛星内全トランスポンダ分の全チャンネルの全局番組情報がまとめて入力される。
【００６５】
番組情報解析部１８は、受信器２７からの送信元における全チャンネルの全局番組情報のうちCATV番組情報設定器１０からこのデジタルCATVネットワーク内で選択して使用する送信元チャンネル番号と一致した全局番組情報だけを番組情報構築・蓄積部１９へ出力する。
【００６６】
番組情報構築・蓄積部１９は、番組情報解析部１８からの全局番組情報内の情報要素を蓄積する。ここでの番組要素というのは、テーブル及び記述子と表現される。この全局番組情報はサービス・イベント情報再構築部２１へ出力される。
【００６７】
サービス・イベント情報再構築部２１には、サービス・イベント情報構築部１７から各６４QAMそれぞれにとって自分自身となる各局番組情報とアクチャルのサービス情報及びイベント情報だけを変換した番組情報が入力される。また番組情報構築・蓄積部１９からはデジタルCATVネットワーク内において設定された全トランスポートストリーム識別番号内の全チャンネル番号に対応した全局番組情報が入力される。
【００６８】
サービス・イベント情報再構築部２１では、まずサービス・イベント情報構築部１７からの各６４QAMそれぞれにとって自分自身となる各局番組情報及びアクチャルのサービス情報とイベント情報だけを変換した番組情報を先に送出器２６へ出力する。これにより番組情報の再構築による遅れを各６４QAMそれぞれにとって自分自身となる各局情報及び全局のアクチャルに対して低減させる。次に番組情報構築・蓄積部１９からの全トランスポートストリーム識別番号内の全チャンネル番号に対応した全局番組情報を送出器２６へ出力する。以上の処理後CATVネットワーク内の自分自身であるアクチャル以外のアザーのサービス情報や短期イベント情報を構築し送出器２６へ出力する。以上が図１０におけるサービスイベント情報変換器７である。
【００６９】
送出器２６は、サービス・イベント情報再構築部２１からの各番組情報入力とネットワーク情報生成器２からのネットワーク情報入力とを受信器１からデジタル放送ストリームに多重し、番組情報送信方法を全局および各局番組情報を伝送するデジタルCATV放送ストリームとしてデジタル変調器３へ出力する。
【００７０】
デジタル変調器３は、デジタル放送ストリームを変調方式にマッピングしてデジタル変調波にてCATVネットワークへ送出する。
【００７１】
一方、受信器５は、CSデジタル衛星放送波において番組情報の大半を占める長期イベント情報をそのCSデジタル衛星の全トランスポンダ分をまとめて送信しているある1つのトランスポートストリーム、（通称EPGトランスポンダと呼ばれている）を受信してそのトランスポンダのデジタル放送ストリームパケットを番組情報解析部１８に送出する。番組情報解析部１８には、CATV番組情報設定器１０より、デジタルCATVネットワーク内のすべての６４QAM変調器ここでは送信元のトランスポートストリーム識別番号とそのトランスポート識別番号内のチャンネル番号が入力される。また受信器５よりその送信元CSデジタル衛星内の全トランスポンダ分の全チャンネルの長期イベント情報がまとめて入力される。
【００７２】
番組情報解析部１８は、受信器５からの送信元における全チャンネルの長期イベント情報のうちCATV番組情報設定器１０からこのデジタルCATVネットワーク内で選択して使用する送信元チャンネル番号と一致した長期イベント情報だけを番組情報構築・蓄積部１９へ出力する。
【００７３】
番組情報構築・蓄積部１９は、番組情報解析部１８からの長期番組情報内の情報要素をあらかじめ用意した番組情報に基づいて元のCSデジタルの番組要素内容からBSデジタルの番組要素内容に変換及び追加する。そして送信元ではなくデジタルCATVネットワーク内において設定された全トランスポートストリーム識別番号内の全チャンネル番号に対応した長期イベント情報に変換・蓄積される。ここでの番組要素というのは、テーブル及び記述子と表現される。この変換された長期イベント情報は、更新用番組情報生成器２０とサービス・イベント情報再構築部２１へ出力される。
【００７４】
更新用番組情報生成器２０は、番組情報構築・蓄積部１９からの長期イベント情報から番組の終了／開始毎に更新される現在放送中の番組および次に開始予定の番組情報が記載された短期イベント情報を全トランスポートストリーム識別番号内の全チャンネル番号について長期イベント情報内の期間中の番組更新分を作成蓄積しサービス・イベント情報再構築部２１へ出力する。
【００７５】
サービス・イベント情報再構築部２１には、サービス・イベント情報構築部１７から各６４QAMそれぞれにとって自分自身となるアクチャルのサービス情報及びイベント情報だけを変換した番組情報が入力される。また番組情報構築・蓄積部１９からは長期番組情報内の情報要素をあらかじめ用意した番組情報に基づいて元のCSデジタルの番組要素内容からBSデジタルの番組要素内容に変換し送信元ではなくデジタルCATVネットワーク内において設定された全トランスポートストリーム識別番号内の全チャンネル番号に対応した長期イベント情報が入力される。また更新用番組情報生成器２０からは全トランスポートストリーム識別番号内の全チャンネル番号に対応した番組の終了／開始毎に更新される短期イベント情報が入力される。
【００７６】
サービス・イベント情報再構築部２１では、まずサービス・イベント情報構築部１７からの各６４QAMそれぞれにとって自分自身となるアクチャルのサービス情報とイベント情報だけを変換した番組情報を先に送出器８へ出力する。これにより番組情報の再構築による遅れを各６４QAMそれぞれにとって自分自身となるアクチャルに対して低減させる。次に番組情報構築・蓄積部１９からの元のCSデジタルにおける番組要素内容からBSデジタルの番組要素内容に変換されデジタルCATVネットワーク内において設定された全トランスポートストリーム識別番号内の全チャンネル番号に対応した長期イベント情報を送出器８へ出力する。更に更新用番組情報生成器２０からの短期イベント情報のうち各６４QAMそれぞれにとって自分自身となるアクチャルのトランスポートストリーム識別番号内のチャンネル番号に一致した短期イベント情報を先に送出器８へ出力する。以上の処理後CATVネットワーク内の自分自身であるアクチャル以外のアザーのサービス情報や短期イベント情報を構築し送出器８へ出力する。以上が図３におけるサービスイベント情報変換器７である。
【００７７】
送出器８は、サービス・イベント情報再構築部２１からの各番組情報入力とネットワーク情報生成器６からのネットワーク情報入力とを受信器４からCSデジタル放送ストリームに多重し、番組情報送信方法を全てのトランスポートストリーム中にネットワーク情報、サービス情報、短期イベント情報と、長期イベント情報の内の番組名など番組を特定する必要最小限の情報（基本イベント情報）のみを送出し、長期イベント情報の残りの情報（拡張イベント情報）は各トランスポートストリーム毎に当該トランスポートストリームに含まれるチャネルに相当する部分のみを伝送するBSデジタル方式にしてデジタルCATV放送ストリームとしてデジタル変調器９へ出力する。
【００７８】
デジタル変調器９は、デジタル放送ストリームを変調方式にマッピングしてデジタル変調波にてCATVネットワークへ送出する。
【００７９】
以上のように本実施例によれば、デジタルCATVネットワークにおいてBSデジタル放送と複数のCSデジタル放送のような番組情報の符号化方法や番組情報の送信方法の異なる放送を再送信することができるものである。
【００８０】
【発明の効果】
以上のように本発明によれば、デジタルCATVの一つのネットワーク内で送信される個々の送信元ネットワーク毎に規定された番組情報形式の違いに対しデジタルCATVを受信する受信機は再送信される可能性のある全てのネットワークが提供する番組情報形式に対応していなければならない。
【００８１】
このように受信機開発の負担を増加させることなくかつ安価に実現可能な再送信装置および再送信方法を提供するという有利な効果が得られる。
【図面の簡単な説明】
【図１】本発明の第１の実施の形態例によるデジタル放送再送信装置及びデジタル放送再送信方法の構成図
【図２】本発明の第１の実施例によるネットワーク情報生成器の構成図
【図３】本発明の第１の実施例によるサービス・イベント情報変換器の構成図
【図４】本発明の第１の実施例によるネットワーク情報の全体構成図
【図５】本発明の第１の実施例によるネットワーク情報内の伝送情報内の周波数付け替え概念図
【図６】本発明の第１の実施例によるネットワーク情報の概念図
【図７】本発明の第2の実施例によるデジタル放送再送信装置及びデジタル放送再送信方法の構成図
【図８】本発明の第３の実施例によるデジタル放送再送信装置及びデジタル放送再送信方法の構成図
【図９】本発明の第３の実施例によるネットワーク情報生成器の構成図
【図１０】本発明の第３の実施例によるサービス・イベント情報変換器の構成図
【図１１】従来例によるネットワーク情報の全体構成図
【図１２】従来例によるネットワーク情報の概念図
【符号の説明】
１  受信器
２  ネットワーク情報生成器
３  変調器
４  受信器
５  受信器
６  ネットワーク情報生成器
７  サービス・イベント情報変換器
８  送信器
９  変調器
１０  ＣＡＴＶ番組情報設定器
１１  パケット検出部
１２  パケット置換部
１３  パケット送出部
１４  パケット検出部
１５  パケット置換部
１６  サービス・イベント情報選択部
１７  サービス・イベント情報構築部
１８  番組情報解析部
１９  番組情報構築・蓄積部
２０  更新用番組情報生成部
２１  サービス・イベント情報再構築部
２２  受信器
２３  ネットワーク情報生成器
２４  変調器
２５  自主放送ヘッドエンド
２６  送出器
２７  受信器
【図１】
0004359987.tif 000002
【図２】
0004359987.tif 000003
【図３】
0004359987.tif 000004
【図４】
0004359987.tif 000005
【図５】
0004359987.tif 000006
【図６】
0004359987.tif 000007
【図７】
0004359987.tif 000008
【図８】
0004359987.tif 000009
【図９】
0004359987.tif 000010
【図１０】
0004359987.tif 000011
【図１１】
0004359987.tif 000012
【図１２】
0004359987.tif 000013